(57)【要約】【課題】電力消費を抑制しつつ二次電池を必要量まで充電可能な画像形成装置を提供すること。【解決手段】商用電源からの電力をプリント部とＩ／Ｆを有する本体に供給せずに、二次電池の電力をＩ／Ｆに供給する待機状態において、Ｉ／Ｆがジョブの指示を受け付けると、商用電源からの電力を本体に供給してジョブを実行しつつ商用電源からの電力で二次電池を充電する稼働状態に移り、ジョブが終了すると本体への電力供給を設定時間だけ継続する移行状態を経て待機状態に戻る構成において、午前９時の時点で、同日の午後５時までの第１時間帯で二次電池を充電するのに要する予想時間を複数回の移行状態の実行時間に振り分けて、１回の移行時間Ｔに設定する。設定時間Ｔを、同日の第１時間帯における１回の移行時間に用い、移行状態のときにも二次電池の充電を行う。【選択図】図１２
2013167691.tif 000002
【特許請求の範囲】
【請求項１】
処理依頼を受け付ける受付部と受け付けた処理を実行する処理部を有する本体と、
外部電源と二次電池が接続され、外部電源から本体への電力供給を遮断しつつ二次電池の電力を受付部に供給する待機状態において、受付部が処理依頼を受け付けたことを契機に、処理部による処理の実行のために外部電源から本体に電力を供給する稼働状態に移り、前記処理が終了すると本体への電力供給を設定時間だけ継続する移行状態を経て、前記待機状態に戻る状態遷移が可能な電源装置と、を備え、
前記電源装置は、
外部電源の電力により前記二次電池を充電する充電手段と、
所定の単位期間よりも過去の状態遷移履歴から当該単位期間内に移行状態になるときがＮ（複数）回あると推定し、当該単位期間の後に特定の待機状態が一定時間続くと仮定した場合に、当該一定時間に亘って前記受付部に前記二次電池の電力を供給するのに必要な二次電池の充電に要する予想時間をＮ回のそれぞれの移行状態の実行時間に振り分けた時間に基づき前記設定時間を設定する設定手段と、
前記設定後、前記単位期間内において、前記二次電池が待機状態のときに充電されず、稼働状態と移行状態のときに充電されるように、前記充電手段を制御する制御手段と、
を備えることを特徴とする電子機器。
【請求項２】
前記設定手段は、
前記設定を行った後、前記単位期間内における所定の時期に、当該時期から前記単位期間の終わるまでの所定の区間内に移行状態になるときがＭ（複数）回あると前記状態遷移履歴から推定した場合に、当該所定の時期における前記二次電池の充電に要する予想時間をＭ回のそれぞれの移行状態の実行時間に振り分けた時間に基づき前記設定時間を設定し直すことを特徴とする請求項１に記載の電子機器。
【請求項３】
前記所定の単位期間は、一日のうち、予め決められた第１時間帯であり、
前記一定時間は、前記第１時間帯に続く第２時間帯であり、
前記設定手段は、
前記第１時間帯の開始時、または前記第１時間帯に入ってから最初に前記処理が実行されたことを契機に前記設定を行うことを特徴とする請求項１または２に記載の電子機器。
【請求項４】
前記過去の状態遷移履歴には、
過去の一日における前記第１時間帯と同じ時間帯に稼働状態から移行状態に遷移した回数と、当該同じ時間帯における全ての稼働状態の稼働時間を累計した総稼働時間Ｔｙが含まれ、
前記設定手段は、
前記Ｎ回を前記状態遷移履歴に含まれる前記回数と同じ値と推定し、
現時点から前記二次電池の充電の目標値まで前記二次電池を充電するのに要する時間をＴｘとしたとき、時間（Ｔｘ−Ｔｙ）を前記予想時間とし、
〔（Ｔｘ−Ｔｙ）／Ｎ〕で示す式から得られる時間Ｔｃを前記振り分けた時間として、
当該時間Ｔｃ、時間Ｔｃを所定時間だけ延長してなる時間Ｔｄ、または時間Ｔｃを所定の係数で重み付けしてなる時間Ｔｋを、前記設定時間として設定することを特徴とする請求項３に記載の電子機器。
【請求項５】
前記設定手段は、
前記時間Ｔｃ、ＴｄまたはＴｋが、移行時間として最低限必要な、予め決められた時間Ｔｆよりも短い場合には、前記時間Ｔｃ、ＴｄまたはＴｋに代えて、前記時間Ｔｆを前記設定時間として設定することを特徴とする請求項４に記載の電子機器。
【請求項６】
前記所定の単位期間は、一日のうち、予め決められた第１時間帯であり、
前記一定時間は、前記第１時間帯に続く第２時間帯であり、
前記状態遷移履歴には、
過去の一日における、前記第１時間帯と同じ時間帯の前記所定の区間に稼働状態から移行状態に遷移した回数、当該所定の区間における全ての稼働状態の稼働時間を累計した総稼働時間Ｔβが含まれ、
前記設定手段は、
前記Ｍ回を前記状態遷移履歴に含まれる前記回数と同じ値と推定し、
前記所定の時期から前記二次電池の充電の目標値まで前記二次電池を充電するのに要する時間をＴαとしたとき、時間（Ｔα−Ｔβ）を前記所定の時期における予想時間とし、
〔（Ｔα−Ｔβ）／Ｍ〕で示す式から得られる時間Ｔｃ１を前記所定の時期における振り分けた時間として、
当該時間Ｔｃ１、時間Ｔｃ１を所定時間だけ延長してなる時間Ｔｄ１、または時間Ｔｃ１を所定の係数で重み付けしてなる時間Ｔｋ１を、前記設定時間として設定し直すことを特徴とする請求項２に記載の電子機器。
【請求項７】
前記設定手段は、
前記第１時間帯が属する日の翌日が休日である場合、前記目標値を、翌日が休日でない場合に対する値よりも予め決められた高い値に切り替えて、切り替え前後の目標値の差分に基づき、切り替え後の目標値まで充電するのに要する時間を、翌日が休日でない場合に対する時間よりも長い時間に変更することを特徴とする請求項４〜６のいずれか１項に記載の電子機器。
【請求項８】
前記過去の一日は、
前記第１時間帯が属する日の一日前である前日、または前記第１時間帯が属する日から過去に遡った週の同じ曜日であることを特徴とする請求項４〜７のいずれか１項に記載の電子機器。
【請求項９】
ユーザーから、前記単位期間と前記一定時間の少なくとも一方を設定するための入力を受け付ける受付手段を備えることを特徴とする請求項１〜８のいずれか１項に記載の電子機器。
【請求項１０】
画像形成の指示を受け付ける外部インターフェースと受け付けた指示に基づき画像形成を実行する画像形成部を有する本体と、
外部電源と二次電池とが接続され、外部電源から本体への電力供給を遮断しつつ二次電池の電力を外部インターフェースに供給する待機状態において、外部インターフェースが画像形成の指示を受け付けたことを契機に、外部電源から本体に電力を供給する稼働状態に移り、画像形成部による画像形成が終了すると、本体への電力供給を設定時間だけ継続する移行状態を経て、前記待機状態に戻る状態遷移が可能な電源装置と、を備え、
前記電源装置は、
外部電源の電力により前記二次電池を充電する充電手段と、
所定の単位期間よりも過去の状態遷移履歴から当該単位期間内に移行状態になるときがＮ（複数）回あると推定し、当該単位期間の後に特定の待機状態が一定時間続くと仮定した場合に、当該一定時間に亘って前記受付部に前記二次電池の電力を供給するのに必要な二次電池の充電に要する予想時間をＮ回のそれぞれの移行状態の実行時間に振り分けた時間に基づき前記設定時間を設定する設定手段と、
前記設定後、前記単位期間内において、前記二次電池が待機状態のときに充電されず、稼働状態と移行状態のときに充電されるように、前記充電手段を制御する制御手段と、
を備えることを特徴とする画像形成装置。
【発明の詳細な説明】
【技術分野】
【０００１】
本発明は、二次電池を搭載した電子機器および画像形成装置に関する。
【背景技術】
【０００２】
各種電子機器では、商用電源などの外部電源から供給される電力と、ニッケル水素電池等の二次電池から供給される電力とを併用する構成とされることがある。
例えば、電子機器の一種である画像形成装置は、画像形成のジョブを実行する画像形成部（処理部）と、ジョブの実行指示（処理依頼）を受け付ける外部インターフェース（Ｉ／Ｆ：受付部）が設けられており、このような画像形成装置に対して、外部電源の電力と二次電池の電力を併用するシステムとして、待機状態と稼働状態と移行状態を切り替える構成が提案されている。
【０００３】
ここで、待機状態とは、外部電源の電力を画像形成部と外部Ｉ／Ｆの両方に供給せず、二次電池の電力を外部Ｉ／Ｆに供給してジョブの実行指示を受け付ける状態である。
稼働状態とは、外部電源の電力を画像形成部に供給して、受け付けたジョブを実行する状態である。
移行状態とは、稼働状態の終了から一定時間、画像形成部への外部電源からの電力供給を継続しつつ、その供給量を稼働状態よりも低減、例えば定着部のヒーターへの供給電力を抑えて定着部の温度を稼働状態よりも少し低い温度に維持し、ヒーター以外の各部への電力供給を遮断すると共に、新たなジョブの実行指示を受け付ける状態であり、所定時間内にジョブの実行指示が受け付けられると稼働状態に復帰し、実行指示がなければ待機状態に戻るものである。
【０００４】
このような構成により、待機状態では、外部電源の電力消費を抑制して節電を図りつつ、外部Ｉ／Ｆには二次電池からの電力が供給されるので、ジョブの実行指示を受け付けることができる。
また、移行状態では、ヒーターに電力が供給されているので、新たなジョブの実行指示が受け付けられたときに、定着部がジョブ可能な定着温度に昇温するまでの時間が短くて済み、ヒーターへの電力を遮断している待機状態から稼働状態に移行する場合よりもジョブの開始を早めることができる。
【０００５】
待機状態では、外部Ｉ／Ｆに二次電池の電力が供給されるので、ジョブの実行指示を受け付けることができるが、会社などでジョブの実行指示の受け付けの頻度が極端に少なくなる夜間など長時間に亘って待機状態が続くような場合に、その間にも外部Ｉ／Ｆを二次電池の電力だけで動作させるには、その待機状態に入る直前に必要な電力相当分、二次電池の充電を行っておけば良い。
【０００６】
特許文献１には、画像形成ジョブの終了後、所定時間が経過するまでの間に外部からのジョブ信号が来ない場合、二次電池の電圧を検出し、検出電圧が所定値に満たなければ、外部電源の電力により二次電池の充電を行った後、外部電源からの電力供給を遮断する構成の画像形成装置が開示されている。
上記の所定値を、待機状態に入る直前の移行状態のときに、夜間など長時間の待機状態に亘って外部Ｉ／Ｆに電力を供給し続けることが可能な値に設定すれば、二次電池を必要な量まで充電しておくことが可能になる。
【先行技術文献】
【特許文献】
【０００７】
【特許文献１】特開２００７−４７５５６号公報
【発明の概要】
【発明が解決しようとする課題】
【０００８】
しかしながら、特許文献１による充電方法をとれば、夜間など待機状態の時間が長いほど、その間に外部Ｉ／Ｆが消費する電力量が多くなるので、二次電池を充電しておくべき電力量も多くなり、待機状態に入る直前の１回の移行状態のときに必要な充電を行うべく、上記の所定値を大きくする必要が生じ、所定値を大きくすると、それだけ充電に要する時間が長くなる。
【０００９】
移行状態では、上記のようにヒーターに対して外部電源の電力が供給され続けているので、二次電池の充電時間が長くなれば、それだけヒーターが消費する電力量も多くなり、外部電源からのトータルの電力消費量が増加することになってしまう。
このような問題は、上記とは異なる構成でも生じる場合がある。例えば、移行状態に入るとヒーターへの電力を遮断しつつ内部ファンの動作を稼働状態から継続して、機内の温度をある程度の時間に亘って冷却した後、内部ファンを停止して待機状態に戻る構成をとるような場合である。この場合も移行時間が長くなるほど内部ファンによる電力消費が多くなることから、上記同様に外部電源からのトータルの電力消費量が増加するという問題が生じてしまう。
【００１０】
また、上記の問題は、画像形成装置に限られず、外部電源と二次電池を併用する構成において、待機状態、稼働状態、移行状態を切り替え可能な電子機器一般にも生じ得る。
本発明は、上記の問題点に鑑みてなされたものであって、電力消費をできるだけ抑制しつつ二次電池を必要な蓄電量、充電することができる電子機器および画像形成装置を提供することを目的としている。
【課題を解決するための手段】
【００１１】
上記目的を達成するため、本発明に係る電子機器は、処理依頼を受け付ける受付部と受け付けた処理を実行する処理部を有する本体と、外部電源と二次電池が接続され、外部電源から本体への電力供給を遮断しつつ二次電池の電力を受付部に供給する待機状態において、受付部が処理依頼を受け付けたことを契機に、処理部による処理の実行のために外部電源から本体に電力を供給する稼働状態に移り、前記処理が終了すると本体への電力供給を設定時間だけ継続する移行状態を経て、前記待機状態に戻る状態遷移が可能な電源装置と、を備え、前記電源装置は、外部電源の電力により前記二次電池を充電する充電手段と、所定の単位期間よりも過去の状態遷移履歴から当該単位期間内に移行状態になるときがＮ（複数）回あると推定し、当該単位期間の後に特定の待機状態が一定時間続くと仮定した場合に、当該一定時間に亘って前記受付部に前記二次電池の電力を供給するのに必要な二次電池の充電に要する予想時間をＮ回のそれぞれの移行状態の実行時間に振り分けた時間に基づき前記設定時間を設定する設定手段と、前記設定後、前記単位期間内において、前記二次電池が待機状態のときに充電されず、稼働状態と移行状態のときに充電されるように、前記充電手段を制御する制御手段と、を備えることを特徴とする。
【００１２】
また、前記設定手段は、前記設定を行った後、前記単位期間内における所定の時期に、当該時期から前記単位期間の終わるまでの所定の区間内に移行状態になるときがＭ（複数）回あると前記状態遷移履歴から推定した場合に、当該所定の時期における前記二次電池の充電に要する予想時間をＭ回のそれぞれの移行状態の実行時間に振り分けた時間に基づき前記設定時間を設定し直すことを特徴とする。
【００１３】
さらに、前記所定の単位期間は、一日のうち、予め決められた第１時間帯であり、前記一定時間は、前記第１時間帯に続く第２時間帯であり、前記設定手段は、前記第１時間帯の開始時、または前記第１時間帯に入ってから最初に前記処理が実行されたことを契機に前記設定を行うことを特徴とする。
ここで、前記過去の状態遷移履歴には、過去の一日における前記第１時間帯と同じ時間帯に稼働状態から移行状態に遷移した回数と、当該同じ時間帯における全ての稼働状態の稼働時間を累計した総稼働時間Ｔｙが含まれ、前記設定手段は、前記Ｎ回を前記状態遷移履歴に含まれる前記回数と同じ値と推定し、現時点から前記二次電池の充電の目標値まで前記二次電池を充電するのに要する時間をＴｘとしたとき、時間（Ｔｘ−Ｔｙ）を前記予想時間とし、〔（Ｔｘ−Ｔｙ）／Ｎ〕で示す式から得られる時間Ｔｃを前記振り分けた時間として、当該時間Ｔｃ、時間Ｔｃを所定時間だけ延長してなる時間Ｔｄ、または時間Ｔｃを所定の係数で重み付けしてなる時間Ｔｋを、前記設定時間として設定することを特徴とする。
【００１４】
ここで、前記設定手段は、前記時間Ｔｃ、ＴｄまたはＴｋが、移行時間として最低限必要な、予め決められた時間Ｔｆよりも短い場合には、前記時間Ｔｃ、ＴｄまたはＴｋに代えて、前記時間Ｔｆを前記設定時間として設定することを特徴とする。
また、前記所定の単位期間は、一日のうち、予め決められた第１時間帯であり、前記一定時間は、前記第１時間帯に続く第２時間帯であり、前記状態遷移履歴には、過去の一日における、前記第１時間帯と同じ時間帯の前記所定の区間に稼働状態から移行状態に遷移した回数、当該所定の区間における全ての稼働状態の稼働時間を累計した総稼働時間Ｔβが含まれ、前記設定手段は、前記Ｍ回を前記状態遷移履歴に含まれる前記回数と同じ値と推定し、前記所定の時期から前記二次電池の充電の目標値まで前記二次電池を充電するのに要する時間をＴαとしたとき、時間（Ｔα−Ｔβ）を前記所定の時期における予想時間とし、〔（Ｔα−Ｔβ）／Ｍ〕で示す式から得られる時間Ｔｃ１を前記所定の時期における振り分けた時間として、当該時間Ｔｃ１、時間Ｔｃ１を所定時間だけ延長してなる時間Ｔｄ１、または時間Ｔｃ１を所定の係数で重み付けしてなる時間Ｔｋ１を、前記設定時間として設定し直すことを特徴とする。
【００１５】
さらに、前記設定手段は、前記第１時間帯が属する日の翌日が休日である場合、前記目標値を、翌日が休日でない場合に対する値よりも予め決められた高い値に切り替えて、切り替え前後の目標値の差分に基づき、切り替え後の目標値まで充電するのに要する時間を、翌日が休日でない場合に対する時間よりも長い時間に変更することを特徴とする。
また、前記過去の一日は、前記第１時間帯が属する日の一日前である前日、または前記第１時間帯が属する日から過去に遡った週の同じ曜日であることを特徴とする。
【００１６】
さらに、ユーザーから、前記単位期間と前記一定時間の少なくとも一方を設定するための入力を受け付ける受付手段を備えることを特徴とする。
また、本発明に係る画像形成装置は、画像形成の指示を受け付ける外部インターフェースと受け付けた指示に基づき画像形成を実行する画像形成部を有する本体と、外部電源と二次電池とが接続され、外部電源から本体への電力供給を遮断しつつ二次電池の電力を外部インターフェースに供給する待機状態において、外部インターフェースが画像形成の指示を受け付けたことを契機に、外部電源から本体に電力を供給する稼働状態に移り、画像形成部による画像形成が終了すると、本体への電力供給を設定時間だけ継続する移行状態を経て、前記待機状態に戻る状態遷移が可能な電源装置と、を備え、前記電源装置は、外部電源の電力により前記二次電池を充電する充電手段と、所定の単位期間よりも過去の状態遷移履歴から当該単位期間内に移行状態になるときがＮ（複数）回あると推定し、当該単位期間の後に特定の待機状態が一定時間続くと仮定した場合に、当該一定時間に亘って前記受付部に前記二次電池の電力を供給するのに必要な二次電池の充電に要する予想時間をＮ回のそれぞれの移行状態の実行時間に振り分けた時間に基づき前記設定時間を設定する設定手段と、前記設定後、前記単位期間内において、前記二次電池が待機状態のときに充電されず、稼働状態と移行状態のときに充電されるように、前記充電手段を制御する制御手段と、を備えることを特徴とする。
【発明の効果】
【００１７】
上記のように一定時間に亘って二次電池の電力を受付部に供給し続けるのに必要な二次電池の充電に要する予想時間をＮ回の移行状態の実行時間に振り分けた時間を、単位期間内における１回の移行状態の時間に設定する構成をとれば、特定の待機状態に入る直前の移行状態のときにだけ二次電池を必要な蓄電量になるまで長時間、充電する従来相当の構成よりも、本体で消費されるトータルの電力量を低減することができる。
【００１８】
すなわち、１回の移行時間Ｔの間に本体で消費される外部電源からの電力量をＷと仮定すると、本発明では、１回目からＮ回目までの移行状態において本体で消費されるトータルの電力量は（Ｎ×Ｗ）になる。
これに対し、従来相当の構成では、１回目から（Ｎ−１）回目までは移行時間がＴになるが、Ｎ回目だけ二次電池を必要な蓄電量になるまで長時間、充電する必要があるので、Ｎ回目の移行時間がＴよりも長い時間になる。Ｎ回目の移行時間が長くなれば、それだけ外部電源からの電力消費量が増えるから、１回目からＮ回目までの移行状態において本体で消費されるトータルの電力量も（Ｎ×Ｗ）よりも多くなる。
【００１９】
従って、そのトータルの消費電力量の差分だけ、本発明の構成によれば、単位期間において外部電源から供給される電力消費を低減することができ、外部電源からの電力消費をできるだけ抑制しつつ二次電池を必要な蓄電量、充電することが可能になる。
【図面の簡単な説明】
【００２０】
【図１】画像形成装置の構成を説明するためのブロック図である。
【図２】待機状態と稼働状態と移行状態の様子を示す模式図である。
【図３】（ａ）は、移行時間Ｔが時間帯を分けて時間Ｔａと時間Ｔｂに設定されている様子を模式的に示す図であり、（ｂ）は、二次電池の充電と放電のタイミングを示す図であり、（ｃ）は、二次電池の電池容量の推移の様子を示すグラフである。
【図４】画像形成装置の電源装置に設けられる出力切替部と充電部と放電部の回路構成を示す図である。
【図５】電源装置に設けられる電源制御部による充放電制御処理の内容を示すフローチャートである。
【図６】待機中処理のサブルーチンの内容を示すフローチャートである。
【図７】稼働中処理のサブルーチンの内容を示すフローチャートである。
【図８】充電処理のサブルーチンの内容を示すフローチャートである。
【図９】移行中処理のサブルーチンの一部の内容を示すフローチャートである。
【図１０】移行中処理のサブルーチンの残りの部分の内容を示すフローチャートである。
【図１１】画像形成装置の装置本体に設けられる本体制御部による制御処理の内容を示すフローチャートである。
【図１２】（ａ）は、実施の形態の充電方法により待機状態に二次電池を充電する実施例の充電の様子を示す模式図であり、（ｂ）は、第２時間帯に入る直前の待機状態に長時間に亘って二次電池を充電する比較例の充電の様子を示す模式図である。
【発明を実施するための形態】
【００２１】
以下に、本発明に係る電子機器および画像形成装置の実施の形態について、図面を参照しながら説明する。
（１）画像形成装置の全体構成
図１は、画像形成装置の構成を説明するためのブロック図である。
同図に示すように画像形成装置は、プリントやファクシミリ通信などを含む画像形成ジョブを実行可能な多機能複合機であるＭＦＰ（Multiple Function Peripheral）であり、電源装置１０と装置本体２０を備える。ここで、同図において太い実線、破線、一点鎖線の矢印が電力ラインを示しており、細い実線の矢印が信号ラインを示している。
【００２２】
（２）装置本体２０の構成
装置本体２０は、画像データに基づいて記録シート上に画像を形成する画像形成ジョブを実行するプリント部（処理部）２１と、ＬＡＮなどのネットワーク（不図示）に接続され、ネットワークを介してパーソナルコンピューターやファクシミリ装置などの外部の端末装置から画像形成ジョブの実行指示（処理依頼）を受け付ける外部インターフェース（外部Ｉ／Ｆ：受付部）２２とを有する。
【００２３】
プリント部２１は、画像形成部３１と、ヒーター３２ａを有する定着部３２と、表示部３３ａを有する操作パネル３３と、本体制御部３４などを備え、例えば電子写真方式により記録シート上に画像をプリントする画像形成ジョブを実行する。
画像形成部３１は、搬送される記録シート上にトナーなどの画像を形成する。
定着部３２は、記録シート上に形成された画像をヒーター３２ａの熱により定着に必要な温度（定着温度）で記録シートに定着させる。
【００２４】
操作パネル３３は、ユーザーからの各種情報の入力を受け付け、受け付けた情報を本体制御部３４に送る。
本体制御部３４は、操作パネル３３からの情報を表示部３３ａに表示させ、また外部Ｉ／Ｆ２２により受け付けられた画像形成ジョブの実行指示に基づき、画像形成部３１と定着部３２を制御して、画像形成ジョブを実行させる。なお、上記では、電子写真方式の例を説明したが、画像形成ジョブを実行する構成であれば、これに限られず、例えばインクジェット方式によるものとすることもできる。
【００２５】
外部Ｉ／Ｆ２２は、無線または有線によるものとすることができるが、低消費電力による方式を用いることが好ましい。低消費電力の無線技術としては、赤外線通信、可視光通信、人体通信等があり、また無線規格としては、ＺｉｇＢｅｅ、Ｚ−Ｗａｖｅ、Ｂｌｕｅｔｏｏｔｈ  Ｌｏｗ等がある。
（３）電源装置１０の構成
電源装置１０は、外部電源、ここでは商用電源４０と、太陽電池などからなる創エネ電源４１とから供給される電力を装置本体２０に供給する制御や二次電池３０の充放電の制御などを実行するものであり、電力センサー１１と、リレー１２と、ＡＣ−ＤＣ電源１３と、充電部１４と、電源制御部１５と、放電部１６と、記憶部１７などを有する。
【００２６】
電力センサー１１は、商用電源４０に接続される電力供給線１９によって商用電源４０から供給される交流電力を検出するセンサーであり、その検出結果は、電源制御部１５に与えられる。
リレー１２は、ラッチング形のものであり、電源制御部１５の指示によって、商用電源４０の交流電力をＡＣ−ＤＣ電源１３に供給する電力供給状態と、商用電源４０の交流電力をＡＣ−ＤＣ電源１３に供給しない電力遮断状態とに切り替える。リレー１２は、ラッチング形なので、切り替えられた後にリレー１２自体への電力の供給が遮断されても、その切り替えられた後の状態が維持される。リレー１２が電力遮断状態になれば、商用電源４０からの電力の、電源装置１０への電力供給がゼロになる。
【００２７】
ＡＣ−ＤＣ電源１３は、リレー１２が電力遮断状態にあれば動作せず、電力供給状態にあるときに、リレー１２を介して商用電源の交流電力を入力して、入力された交流電力を直流電力に変換し、変換した直流電力を電源制御部１５に供給する。
電源制御部１５は、電源装置１０における電力の入出力の全体を制御するものであり、ＣＰＵ５１と、出力切替部５２と、カレンダー機能を有する時計ＩＣ５３と、各種計時を担当するタイマー５４などを有し、ＡＣ−ＤＣ電源１３または創エネ電源４１からの直流電力を装置本体２０に供給すると共に充電部１４に供給する。
【００２８】
装置本体２０は、電源制御部１５からの電力供給により画像形成ジョブが実行可能な状態になる。
充電部１４は、電源制御部１５の指示に基づき、電源制御部１５から供給される直流電力により二次電池３０を充電する。
放電部１６は、電源制御部１５の指示に基づき、二次電池３０に蓄積されている電力の、外部Ｉ／Ｆ２２への供給（放電）と遮断（放電停止）を切り替える。
【００２９】
なお、電源制御部１５は、装置本体２０と信号のやりとりを行うことができ、例えば本体制御部３４から画像形成ジョブが終了したことを示すジョブ終了通知を受け付け、また外部Ｉ／Ｆ２２から新たな画像形成ジョブの実行指示を受け付けたことを示す実行指示受付通知を受け付ける。
さらに、電源制御部１５は、電力センサー１１からの検出信号を受信して、商用電源４０からの電力が供給状態にあることを検出し、リレー１２を電力供給状態と電力遮断状態に切り替える。
【００３０】
記憶部１７は、ここでは不揮発性のものが用いられ、１日における第１時間帯と第２時間帯（後述）の開始時刻と終了時刻、過去の１日単位で、その日の第１時間帯における稼働状態の回数Ｎと、Ｎ回の稼働状態における稼働時間の累計である総稼働時間Ｔｙ、第２時間帯における二次電池３０の総放電量Ｑｄ、画像形成ジョブの実行回数と実行時間などを示す過去の状態遷移履歴情報、移行時間Ｔを示す時間情報などが記憶されている。
【００３１】
二次電池３０は、一対の電極と電解液とによって生じる電気化学反応により電気を生成して放電（供給）する１つ以上のセルを有しており、電極間に電流を供給する充電によって電力を蓄えることができる。二次電池３０としては、例えば、ニッケル水素電池が使用されるが、これ以外の種類のものであっても良い。
（４）ＣＰＵ５１の構成
ＣＰＵ５１は、図１に示すように状態遷移部６１と、移行時間設定部６２と、電圧測定部６３を備える。
【００３２】
電圧測定部６３は、二次電池３０の電圧と、ＡＣ−ＤＣ電源１３からの直流電圧と、創エネ電源４１からの直流電圧をそれぞれ測定する。
状態遷移部６１は、待機状態と、稼働状態と、移行状態を切り替える切替制御を行う。
図２（ａ）は、待機状態の様子を示す模式図であり、外部電源の電力が装置本体２０に供給されず、二次電池３０の電力が放電により電源装置１０を介して外部Ｉ／Ｆ２２に供給される状態を示している。待機状態では、装置本体２０において外部電源からの電力の消費電力がゼロになる。
【００３３】
図２（ｂ）は、稼働状態の様子を示す模式図であり、外部電源の電力が電源装置１０を介して装置本体２０に供給されつつ二次電池３０が充電される状態を示している。
図２（ｃ）は、移行状態の様子を示す模式図であり、稼働状態の終了から、二次電池３０の充電が継続されつつ、装置本体２０への外部電源の供給電力が稼働状態よりも少ない、ここでは定着部３２と本体制御部３４と外部Ｉ／Ｆ２２だけに電力が供給され、他の画像形成部３１や操作パネル３３などへの電力供給が遮断される状態を示している。この意味で、移行状態は、節電モードということができる。
【００３４】
ここでは、稼働状態の終了から予め設定された時間（移行時間）Ｔの間に、新たな画像形成ジョブが受け付けられなければ、移行時間Ｔの経過時に待機状態に戻り、新たな画像形成ジョブが受け付けられると、稼働状態に復帰するようになっている。
図１に戻って、電源制御部１５は、稼働状態と移行状態では、創エネ電源４１の電力により、または創エネ電源４１の電力が小さい場合にはリレー１２を電力供給状態にして商用電源４０の電力により動作し、待機状態では、リレー１２を電力遮断状態にして商用電源４０の電力を受けることなく、かつ創エネ電源４１の電力も受けず、二次電池３０からの供給電力だけで動作する。
【００３５】
外部Ｉ／Ｆ２２は、待機状態では、二次電池３０からの供給電力により動作し、稼働状態と移行状態では、電源装置１０からの供給電力により動作する。
なお、移行状態では、定着部３２のヒーター３２ａへの供給電力が稼働状態のときよりも低く抑えられ、定着部３２の目標温度を稼働状態のときの定着温度よりも少し低い所定の節電温度に維持する温度制御が行われる。
【００３６】
この温度制御は、例えば定着部３２の温度を検出するセンサー（不図示）により、定着部３２の温度を検出し、定着部３２の温度が節電温度に維持されるようにヒーター３２ａへの供給電力を可変制御することにより行われる。
状態遷移部６１は、待機状態において外部Ｉ／Ｆ２２から実行指示受付通知を受信したことを契機に稼働状態に遷移させる。これにより、装置本体２０に画像形成ジョブの実行に必要な電力（図１の太い実線で示す矢印３０ａ）が電源装置１０から供給される。
【００３７】
装置本体２０の本体制御部３４は、待機状態から稼働状態の遷移により電源装置１０から画像形成ジョブの実行に必要な電力が供給されると、プリント部２１を画像形成可能な状態、ここでは定着部３２の温度を定着温度まで昇温させるウォームアップを行い、定着部３２の温度が定着温度まで昇温すると、受け付けられた画像形成ジョブに基づく画像形成を実行する。そして、その画像形成ジョブが終了すると、ジョブ終了通知を電源制御部１５に送る。
【００３８】
電源制御部１５の状態遷移部６１は、ジョブ終了通知を受信したことを契機に、稼働状態から移行状態に遷移する。これにより、装置本体２０側では、定着部３２と本体制御部３４と外部Ｉ／Ｆ２２だけに電力が供給され（図１の一点鎖線で示す矢印３０ｂ）、定着部３２は、その温度が節電温度になるように制御される。
状態遷移部６１は、移行状態の開始からの経過時間が移行時間Ｔに達すると、移行状態から待機状態に戻させる。これにより、装置本体２０への外部電源からの電力が遮断され、外部Ｉ／Ｆ２２と電源制御部１５が二次電池３０の電力により動作している状態になる（図１の破線で示す矢印３０ｃ，３０ｄ）。待機状態では、ヒーター３２ａへの供給電力も遮断されるので、定着部３２の温度は、時間経過に連れて、画像形成装置が設置されている部屋の室温程度まで徐々に低下していく。
【００３９】
なお、移行状態において移行時間Ｔが経過するまでの間に、外部Ｉ／Ｆ２２により新たな画像形成ジョブが受け付けられると、これを契機に、状態遷移部６１は、移行状態から稼働状態に復帰させる。これにより、装置本体２０に画像形成ジョブの実行に必要な電力（矢印３０ａ）が電源装置１０から供給されるが、移行状態から稼働状態への復帰の場合、定着部３２の温度が定着温度よりも少し低い節電温度に維持されているので、待機状態（室温程度まで定着部３２の温度が低下している状態）から稼働状態に遷移する場合よりも、定着温度までの昇温に要する時間が短くて済み、画像形成ジョブの開始が早くなって、ユーザーの待ち時間が短縮される。
【００４０】
状態遷移部６１は、状態遷移を切り替える処理と共に、一日単位で上記の総稼働時間、放電量などを含む状態遷移履歴情報を記憶部１７に書き込む処理を実行する。
移行時間設定部６２は、移行時間Ｔを過去の単位期間内における稼働状態から移行状態に遷移する回数（移行状態の回数に相当）と時間に基づいて設定するものである。
このように移行時間Ｔを設定するのは、移行状態における外部電源からのトータルの電力消費量が増大することを抑制するためである。
【００４１】
すなわち、上記のごとく、夜間など長く続く待機状態に入る直前の（１回の）移行状態のときに二次電池３０を必要な蓄電量（電池容量）まで充電すべく、その移行時間Ｔを長くすれば、それだけ、外部電源からヒーター３２ａなどへの電力供給が長い時間に亘って続くことになり（１２（ｂ）の時間Ｔｅ参照）、外部電源からのトータルの電力消費量が増大してしまう。この電力消費量の増大は、夜間など長く続く待機状態に入る直前の移行時間Ｔだけを二次電池３０の充電に必要な時間まで長くすることに起因する。
【００４２】
そこで、本実施の形態では、その充電に必要な時間を、直前の移行状態だけに適用するのではなく、それよりも前に実行される複数回の移行状態のそれぞれに振り分けて、それぞれの移行状態のときにも二次電池３０を充電しておくことにより、直前の移行状態の時間が極端に長い時間にならないように、複数回に振り分けた時間をそれぞれの移行状態における移行時間Ｔとして設定する構成をとっている。
【００４３】
図３（ａ）は、ある一日における移行時間Ｔとして、午前９時から午後３時までの間に移行状態になった場合の時間Ｔａと、午後３時以降に移行状態になった場合の時間Ｔｂとが設定されている様子を模式的に示す図である。
図３（ｂ）は、二次電池３０の充放電の切り替えタイミングを示す図であり、二次電池３０が稼働状態と移行状態のときに充電され、待機状態のときに放電されることを示している。
【００４４】
図３（ｃ）は、二次電池３０の蓄電量（電池容量）の推移の様子を示す図であり、蓄電量が二次電池３０の充電により上がり、放電により少し下がり、再度の充電により再度上がる様子を示している。
図３では、一日における午前９時から午後５時までの間（第１時間帯）が業務時間に相当し、午後５時から翌朝の午前９時までの間（第２時間帯）が業務時間外に相当し、第２時間帯に入るときに蓄電量が目標（Ｂｔ）である３０〔％〕まで上がった状態になっているように、第１時間帯（業務時間内）における複数回の稼働状態と移行状態のそれぞれのときに、二次電池３０の充電が行われている様子が示されている。
【００４５】
蓄電量の目標である３０〔％〕は、第２時間帯の開始から終了までの間に消費される電力を賄うことができると想定される蓄電量に相当する。
従って、第２時間帯に入るときに蓄電量が目標の３０〔％〕以上になっていれば、第２時間帯に１回も稼働状態に遷移しなかったために充電機会が１回も訪れなかったとしても、第２時間帯に亘って外部Ｉ／Ｆ２２を動作させることができる。
【００４６】
第２時間帯に入っても第１時間帯からの業務を継続しているユーザーが存すれば、そのユーザーからの画像形成ジョブとしてのプリントを受け付ける必要があり、また外部からのファクシミリ受信を受け付ける必要もあるので、第２時間帯に外部Ｉ／Ｆ２２を動作させる必要がある。この第２時間帯が夜間など長く続く待機状態に相当する。
二次電池３０の充電は、画像形成ジョブの実行による稼働状態とその後に続く移行状態のときに行われるが、一般の会社などでは、平均すれば、毎日の業務時間内（第１時間帯）における画像形成ジョブの実行回数やプリント枚数などがある程度の差があっても極端に大きな差が生じることは少ないと考えられる。
【００４７】
そこで、本実施の形態では、本日（営業日）よりも過去、ここでは同じ営業日である前日（一日前）の第１時間帯に実行された画像形成ジョブが本日の第１時間帯にも同程度の回数と時間だけ実行されるものと推定して、第１時間帯の開始時（午前９時）に、移行時間Ｔを次の（式１）から求められる移行時間Ｔａに設定することにより、移行時間Ｔが長くなりすぎず、第２時間帯に入るときに二次電池３０を目標値に近い容量まで充電できるようにしている。
【００４８】
Ｔａ＝〔（Ｔｘ−Ｔｙ）／Ｎ〕・・・（式１）
ここで、Ｔｘは、二次電池３０の蓄電量を現時点から目標値（３０〔％〕）まで充電するのに要する時間を示す。この時間Ｔｘは、次の（式１ａ）から求められる。
Ｔｘ＝（Ｑｔ−Ｑａ）／Ｄ・・・（式１ａ）
ここで、Ｑｔは、二次電池３０の目標の蓄電量〔ｍＡｈ〕であり、例えば３０〔％〕相当の蓄電量を示し、Ｑａは、現時点での二次電池３０の蓄電量〔ｍＡｈ〕、Ｄは、二次電池３０を充電するときの充電電流〔ｍＡ〕を示す。
【００４９】
目標の蓄電量Ｑｔは、第２時間帯に亘って待機状態が続くと仮定した場合に二次電池３０の電力により外部Ｉ／Ｆ２２を動作させ続けることが可能と想定される蓄電量であり、二次電池３０の充電の目標値に相当する。充電電流Ｄは、充電部１４の充電性能による。
目標の蓄電量Ｑｔと充電電流Ｄは、予め決められた値であり、その情報が記憶部１７に格納されている。現時点での蓄電量Ｑａは、電圧測定部６３により測定された二次電池３０の電圧に基づき、その蓄電量の換算により取得される。
【００５０】
（式１）のＮは、前日の第１時間帯に稼働状態から移行状態に遷移した回数、Ｔｙは、前日の第１時間帯におけるＮ回の稼働状態の稼働時間を累計した総稼働時間を示している。前日における回数Ｎと総稼働時間Ｔｙを示す情報は、記憶部１７から取得される。
例えば、Ｔｘ＝１００分、Ｔｙ＝６０分、Ｎ＝８０回とすると、本日の午前９時の時点で、本日の移行時間（設定時間）Ｔａが３０秒に設定されることになる。
【００５１】
本日も前日と同様に第１時間帯に８０回の画像形成ジョブがあり、その総稼働時間Ｔｙが６０分であれば、稼働状態になっている６０分間、充電を行うことができるので、充電に必要な時間Ｔｘである１００分のうち、残りの４０分を８０回の移行状態のときに補うべく、１回の移行時間Ｔａを３０秒に設定するものである。
この意味で、時間Ｔｘは、第２時間帯に亘って外部Ｉ／Ｆ２２に二次電池３０の電力を供給するのに必要な二次電池３０の充電に要する予想時間に相当し、時間Ｔａは、その予想時間を、Ｎ回のそれぞれの移行状態の実行時間に割り当てて分配した（振り分けた）時間に相当する。
【００５２】
なお、（式１）では、第１時間帯における待機状態での二次電池３０の放電による蓄電量の減少を考慮していない。これは、第１時間帯は、ある程度の頻度で画像形成ジョブが実行されることにより、待機状態で少し放電しても直ぐに稼働状態と待機状態で充電されるので、第２時間帯のように放電だけが長時間続くことによる蓄電量の減少が少ないことによるが、放電による蓄電量の減少分を考慮に入れるとしても良い。
【００５３】
例えば、（式１ａ）の（Ｑｔ−Ｑａ）に代えて（Ｑｔ−Ｑａ＋Ｑｂ）を用いることができる。Ｑｂは、第１時間帯における待機状態での放電による総放電量に相当する。
このように本日の第１時間帯に入る時点で移行時間Ｔａを設定することにより、本日の第１時間帯で、前日と同程度の頻度で画像形成ジョブが実行されれば、本日の第２時間帯に入るときに二次電池３０を目標容量に近い容量まで充電しておくことが可能になる。
【００５４】
上記では、第１時間帯の開始時点である午前９時に移行時間Ｔａを設定することを説明したが、図３に示すように本実施の形態では、第１時間帯の途中で、移行時間ＴをＴａからＴｂに再設定する構成をとっている。
これは、上述のように移行時間Ｔａの設定が前日の状態遷移履歴情報（回数Ｎ、総稼働時間Ｔｙ）に基づいて行われるものであるため、画像形成ジョブの回数や稼働時間などの本日と前日との差分が大きくなれば、第２時間帯に入るときの二次電池３０の蓄電量が目標値に対して下回る場合があり得るからである。
【００５５】
移行時間Ｔの再設定は、第１時間帯の途中であり、第２時間帯の開始よりも所定時間、ここでは２時間前である午後３時に実行される。以下、１日における第１時間帯の午前９時から午後３時までの間を第１区間、午後３時から午後５時までの間を第２区間という。
再設定される移行時間Ｔｂは、次の（式２）により求められる。
Ｔｂ＝〔（Ｔα−Ｔβ）／Ｍ〕・・・（式２）
ここで、Ｔαは、二次電池３０の蓄電量を現時点（午後３時）から目標値（３０〔％〕）まで充電するのに要する時間を示す。時間Ｔαは、次の（式２ａ）から求められる。
【００５６】
Ｔα＝（Ｑｔ−Ｑｃ＋Ｑｄ）／Ｄ・・・（式２ａ）
ここで、Ｑｃは、現時点（午後３時）での二次電池３０の蓄電量を示し、Ｑｄは、前日の第２区間（午後３時から５時までの間）における総放電量を示している。蓄電量Ｑｃは、Ｑａと同様に電圧測定部６３により測定された二次電池３０の電圧に基づき、その蓄電量の換算により取得される。
【００５７】
総放電量Ｑｄは、前日の第２区間に待機状態にあったときに二次電池３０の電圧が低下したその低下量を全ての回数の待機状態の分を足し合わせたトータルの電圧降下量を所定の換算式などを用いて放電量に換算したものであり、状態遷移部６１により１日ごとにその日の第２区間における総放電量が算出されて、記憶部１７に書き込まれる。
（式２）のＭは、前日の第２区間に稼働状態から移行状態に遷移した回数を示し、Ｔβは、前日の第２区間におけるＭ回の稼働状態の稼働時間の累計である総稼働時間を示している。回数Ｍと総稼働時間Ｔβを示す情報は、記憶部１７から取得される。
【００５８】
例えば、Ｔα＝１５分、Ｔβ＝１０分、Ｍ＝２０回とすると、本日の午後３時の時点で、本日の第２区間における移行時間Ｔｂが１５秒に再設定されることになる。移行時間Ｔａ（＝３０秒）に対して、移行時間Ｔｂが１５秒に減っているのは、次の理由による。
すなわち、午後３時の時点での二次電池３０の実際の蓄電量が、午前９時の時点で設定した移行時間Ｔａを午後５時まで適用するとした場合の二次電池３０の予想蓄電量よりも多めになっており、第２区間の移行時間ＴｂをＴａより少なくしても、第２時間帯に入るときに目標の蓄電量を確保できると想定されるからである。
【００５９】
これとは逆に、午後３時の時点での二次電池３０の蓄電量が少ない、例えば本日の画像形成ジョブの回数が前日よりも少なく二次電池３０の充電時間を前日よりも確保できていないような場合には、移行時間ＴｂがＴａよりも長くなることになる。
上記の移行時間ＴａとＴｂの算出は、状態遷移部６１により毎日、上記の各定時に行われ、求められた移行時間Ｔを示す情報が記憶部１７に日時情報と共に書き込まれる（移行時間の設定）。そして、一日ごとに、第１区間内と第２区間内において移行状態に遷移する度に、移行時間Ｔとして、第１区間では移行時間Ｔａが読み出され、第２区間では移行時間Ｔｂが読み出され、読み出された移行時間Ｔがタイマー５４により計時されて、タイムアップになると、その移行状態から待機状態に遷移される。
【００６０】
なお、移行時間Ｔの再設定の時刻が午後３時に限られることはなく、別の時刻としても良いが、充電による目標値までの回復にある程度の余裕をもった時間とすることが望ましい。また、式（式２ａ）において放電量Ｑｄが時間Ｔαにほとんど影響を与えない程度の小さい値であるような場合には、放電量Ｑｄをゼロとするとしても良い。
また、第１時間帯、第２時間帯、第１区間、第２区間のそれぞれの開始時刻と終了時刻、（式１）、（式２）の定数などは、予め記憶部１７に記憶されているが、これらの少なくとも一つを、例えばユーザーにより操作パネル３３や外部Ｉ／Ｆ２２などの受付部により設定入力を受け付けて、記憶部１７に上書きする構成をとることもできる。業務始業時や終了時などの時刻に変更があったときに便利になる。
【００６１】
（５）出力切替部５２の構成
出力切替部５２は、ＡＣ−ＤＣ電源１３または創エネ電源４１からの直流電力の出力先を待機状態と稼働状態と移行状態とでそれぞれ切り替える回路からなる。
図４は、出力切替部５２に充電部１４と放電部１６を加えた回路構成を示す図である。以下、出力切替部５２、充電部１４、放電部１６の順に回路構成を説明する。
【００６２】
同図に示すように、出力切替部５２は、スイッチ素子としてのＦＥＴ（Field  Effect  Transistor）７１〜７４、ＤＣ／ＤＣコンバーター７５，７６、ダイオード７７ａ〜７７ｄなどからなる。
ＦＥＴ７１は、入力端子１ａがＡＣ−ＤＣ電源１３の出力端子に接続され、出力端子１ｂがダイオード７７ａを介してＦＥＴ７３の入力端子３ａとＦＥＴ７４の入力端子４ａに接続されており、ゲート１ｃがＣＰＵ５１の出力端子Ｐ０に接続されている。また、入力端子１ａは、ＣＰＵ５１の電圧測定用端子である入力端子ＰＡ０にも接続されている。
【００６３】
ＦＥＴ７２は、入力端子２ａが創エネ電源４１に接続され、出力端子２ｂがダイオード７７ｂを介してＦＥＴ７３の入力端子３ａとＦＥＴ７４の入力端子４ａに接続されており、ゲート２ｃがＣＰＵ５１の出力端子Ｐ１に接続されている。また、入力端子２ａは、ＣＰＵ５１の電圧測定用端子である入力端子ＰＡ１にも接続されている。
ＦＥＴ７３の出力端子３ｂは、ＤＣ／ＤＣコンバーター７５の入力端子５ａに接続されており、ゲート３ｃがＣＰＵ５１の出力端子Ｐ５に接続されている。
【００６４】
ＤＣ／ＤＣコンバーター７５の出力端子５ｂは、ダイオード７７ｃを介して、装置本体２０に電力を供給するための出力端子１１ａに接続されている。
ＦＥＴ７４の出力端子４ｂは、ＤＣ／ＤＣコンバーター７６の入力端子６ａに接続されており、ＤＣ／ＤＣコンバーター７６の出力端子６ｂは、ダイオード７７ｄを介して、定着部３２と本体制御部３４に電力を供給するための出力端子１１ｂに接続されている。また、ＦＥＴ７４のゲート４ｃがＣＰＵ５１の出力端子Ｐ４に接続されている。
【００６５】
このような構成において、ＣＰＵ５１は、待機状態では、出力端子Ｐ０とＰ１をＨレベルにする。これにより、ＦＥＴ７１，７２がオフになり、創エネ電源４１からの直流電流は、出力切替部５２を構成する回路内を流れない状態になる。また、リレー１２をオフさせる。これにより、ＡＣ−ＤＣ電源１３から直流電力が供給されることもない。この状態を、外部電源からの電力（以下、「外部電力」という。）が遮断された状態という。これにより、待機状態に外部電力が例えばＡＣ−ＤＣ電源１３、ＣＰＵ５１、その周辺回路などに微小な電流が流れ続けることを防止して、待機状態において外部電力の電力消費をなくすことができる。
【００６６】
稼働状態では、ＣＰＵ５１は、リレー１２をオンすると共に、入力端子ＰＡ１に入力される創エネ電源４１からの直流電圧を測定する。この測定は、ＣＰＵ５１の電圧測定部６３が担当する。
リレー１２のオンにより、ＡＣ−ＤＣ電源１３から直流電力が供給されるが、測定電圧が所定値以上であれば、ＣＰＵ５１は、出力端子Ｐ０をＨレベルに、出力端子Ｐ１をＬレベルにする。これにより、ＦＥＴ７１がオフ、ＦＥＴ７２がオンになり、創エネ電源４１からの直流電流だけが回路内を流れる状態になる。
【００６７】
測定電圧が所定値よりも低ければ、ＣＰＵ５１は、出力端子Ｐ０をＬレベルに、出力端子Ｐ１をＨレベルに切り替える。これにより、ＦＥＴ７１がオン、ＦＥＴ７２がオフになり、ＡＣ−ＤＣ電源１３からの直流電流だけが回路内を流れる状態になる。
また、ＣＰＵ５１は、稼働状態では出力端子Ｐ４をＬレベルに、出力端子Ｐ５をＬレベルに切り替える。これにより、ＦＥＴ７４がオン、ＦＥＴ７３がオンになり、ＡＣ−ＤＣ電源１３または創エネ電源４１からの直流電圧がＤＣ／ＤＣコンバーター７５、７６で画像形成ジョブに必要な大きさの直流電圧に変換され、変換後の直流電圧が出力端子１１ａ、１１ｂを介して、定着部３２と本体制御部３４を含み装置本体２０の全体に供給される。この状態を外部電力が供給されている状態という。
【００６８】
一方、移行状態では、ＣＰＵ５１は、出力端子Ｐ４をＬレベルに、出力端子Ｐ５をＨレベルに切り替える。これにより、ＦＥＴ７４がオン、ＦＥＴ７３がオフになり、ＡＣ−ＤＣ電源１３または創エネ電源４１からの直流電圧が、移行状態のときに必要な大きさの直流電圧にＤＣ／ＤＣコンバーター７６で変換され、変換後の直流電圧が出力端子１１ｂを介して定着部３２と本体制御部３４と外部Ｉ／Ｆ２２に供給される。移行状態では、装置本体２０のうち、定着部３２と本体制御部３４と外部Ｉ／Ｆ２２だけに電力が供給されるので、その供給電力は、装置本体２０の全部に電力が供給される稼働状態のときよりも少ない電力になる。この状態を省電力状態という。
【００６９】
充電部１４は、ＤＣ／ＤＣコンバーター８１と、定電流回路８２と、ダイオード８３からなる。
ＤＣ／ＤＣコンバーター８１は、入力端子８ａがＦＥＴ７１の出力端子１ｂとダイオード７７ａを介して接続されると共に、ＦＥＴ７２の出力端子２ｂとダイオード７７ｂを介して接続され、出力端子８ｂが定電流回路８２の入力端子９ａに接続されており、ＡＣ−ＤＣ電源１３または創エネ電源４１からの直流電圧を二次電池３０の充電に適した電圧に変換して定電流回路８２に出力する回路である。
【００７０】
定電流回路８２は、出力端子９ｂがダイオード８３を介して出力端子１１ｄに接続されると共に、入力端子９ｃがＣＰＵ５１の出力端子Ｐ２と接続されており、ＣＰＵ５１の出力端子Ｐ２がＨレベルになると、入力端子９ａに入力される電圧（ＤＣ／ＤＣコンバーター８１の出力電圧）から、二次電池３０を充電するための電流を生成して、出力端子９ｂから出力する回路である。この電流が上記の充電電流Ｄに相当する。
【００７１】
ＣＰＵ５１は、稼働状態と移行状態にあるときにだけ充電指示として出力端子Ｐ２をＨレベルにする。これにより、定電流回路８２の出力端子９ｂから電流が出力され、その出力電流が出力端子１１ｄを介して二次電池３０に流れることにより、二次電池３０が充電される。なお、充電方法は、例えばパルス充電などを用いることができる。
放電部１６は、ＦＥＴ９１と、ダイオード９２からなる。
【００７２】
ＦＥＴ９１は、入力端子１０ａがダイオード８３と二次電池３０とを結ぶラインに接続されると共に、出力端子１０ｂがダイオード９２を介して、外部Ｉ／Ｆ２２に電力を供給するための出力端子１１ｃに接続され、ゲート１０ｃがＣＰＵ５１の出力端子Ｐ３に接続されている。
ＣＰＵ５１は、待機状態にあるときに放電指示として出力端子Ｐ３をＬレベルにする。これにより、ＦＥＴ９１がオンになり、二次電池３０の放電により出力される電力が出力端子１１ｄ、ＦＥＴ９１、ダイオード９２、出力端子１１ｃを介して外部Ｉ／Ｆ２２に供給される。この状態を二次電池３０の放電状態という。
【００７３】
一方、稼働状態と移行状態にあるときには、放電禁止の指示として出力端子Ｐ３をＨレベルにする。これにより、ＦＥＴ９１がオフになり、二次電池３０の電力がＦＥＴ９１を介して外部Ｉ／Ｆ２２に供給されることはない。この状態を二次電池３０の放電停止状態という。
なお、ＦＥＴ９１の入力端子１０ａは、ＣＰＵ５１の電圧測定用端子である入力端子ＰＡ２にも接続されている。この入力端子ＰＡ２は、高インピーダンスになっているので、二次電池３０からの出力電流がＣＰＵ５１に流れ込むことはほとんどなく、また二次電池３０と定電流回路８２との間には、定電流回路８２に逆流しようとする電流を阻止するためのダイオード８３が介在しているので、定電流回路８２に流れることも生じない。
【００７４】
入力端子ＰＡ２は、二次電池３０の電圧を測定するための端子であり、ＣＰＵ５１は、入力端子ＰＡ２の入力電圧の大きさに基づいて、充電中、放電中ともに現在の二次電池３０の電圧値を測定により随時、取得する。この二次電池３０の電圧を測定は、ＣＰＵ５１の電圧測定部６３が担当する。
以下、電源制御部１５による二次電池３０の充放電制御の内容を説明するが、電源制御部１５は、待機状態において外部Ｉ／Ｆ２２から実行指示受付通知を受け付けると稼働状態フラグをセットして稼働状態に遷移し、稼働状態において画像形成ジョブの終了を契機に本体制御部３４からジョブ終了通知を受け付けると、移行状態フラグをセットして移行状態に遷移し、移行状態において新たな画像形成ジョブが受け付けられず、かつ移行時間Ｔが経過すると、待機状態フラグをセットして移行状態から待機状態に戻るという状態遷移を行うものとする。
【００７５】
なお、移行状態において移行時間Ｔが経過するまでの間に新たな画像形成ジョブが受け付けられると、稼働状態フラグをセットして稼働状態に復帰する。また、稼働状態フラグと移行状態フラグと待機状態フラグは、記憶部１７内の所定領域で、いずれか一つだけがセットされ、２つ以上が同時にセットされることのない関係にある。
（６）電源制御部１５による二次電池の充放電制御の内容
図５は、電源制御部１５による充放電制御処理の内容を示すフローチャートであり、図示しないメインルーチンにコールされることにより繰り返し実行される。
【００７６】
同図に示すように待機状態フラグが設定されているか否かを判断する（ステップＳ１）。待機状態フラグのセットを判断すると（ステップＳ１で「ＹＥＳ」）、待機中処理を実行して（ステップＳ２）、リターンする。
待機状態フラグではなく、稼働状態フラグがセットされていることを判断すると（ステップＳ１で「ＮＯ」、Ｓ３で「ＹＥＳ」）、稼働中処理を実行して（ステップＳ４）、リターンする。
【００７７】
待機状態フラグも稼働状態フラグもセットされていない、すなわち移行中フラグがセットされていることを判断すると（ステップＳ３で「ＮＯ」）、移行中処理を実行して（ステップＳ５）、リターンする。
（６−１）待機中処理
図６は、待機中処理のサブルーチンの内容を示すフローチャートである。
【００７８】
同図に示すように外部電力を遮断すると共に（ステップＳ１１）、二次電池３０から外部Ｉ／Ｆ２２へ電力を供給（放電）させる（ステップＳ１２）。外部電力の遮断は、上記のようにＣＰＵ５１と出力切替部５２により実行され、二次電池３０の放電は、ＣＰＵ５１と放電部１６により実行される。
これにより、商用電源４０と創エネ電源４１からの外部電力がいずれも装置本体２０には供給されず、二次電池３０の電力が外部Ｉ／Ｆ２２と電源制御部１５に供給され、外部からの画像形成ジョブを受け付けることが可能になる。
【００７９】
待機状態が終了か否かを判断する（ステップＳ１３）。待機状態の終了の判断は、外部Ｉ／Ｆ２２から実行指示受付通知を受け付けたことにより行われる。
待機状態の終了でないことを判断すると（ステップＳ１３で「ＮＯ」）、二次電池３０の電圧（二次電池電圧）Ｖｂを取得して（ステップＳ１４）、二次電池電圧Ｖｂが下限値ＶＬ以下であるか否かを判断する（ステップＳ１５）。ここで、下限値ＶＬは、待機状態において外部Ｉ／Ｆ２２と電源制御部１５を動作させるのに必要な電圧の下限値よりも少し高い電圧であり、予め決められて、その情報が記憶部１７に格納されている。なお、電圧値に代えて電池容量を用いるとしても良い。
【００８０】
電圧Ｖｂ≦ＶＬではない、すなわち電圧Ｖｂ＞ＶＬであることを判断すると（ステップＳ１５で「ＮＯ」）、二次電池電圧Ｖｂが下限値ＶＬまで低下していないとして、リターンする。ルーチンが一巡して、再度、待機中処理が実行されたときに、待機状態が継続され、電圧Ｖｂ＞ＶＬであれば、ステップＳ１１、Ｓ１２、１３で「ＮＯ」、Ｓ１４、Ｓ１５で「ＮＯ」の処理が繰り返し行われることになる。
【００８１】
電圧Ｖｂ≦ＶＬであることを判断すると（ステップＳ１５で「ＹＥＳ」）、放電により二次電池電圧Ｖｂが下限値ＶＬまで低下しており、放電を継続すると外部Ｉ／Ｆ２２を動作させることができなくなることから、所定時間、二次電池３０を充電して（ステップＳ１６）、リターンする。
待機状態では、本来、二次電池３０の電力により外部Ｉ／Ｆ２２が動作するが、二次電池３０の蓄電量の低下により外部Ｉ／Ｆ２２を動作させることができなくなれば、画像形成ジョブを受け付けることもできなくなるので、例外的に所定時間だけ二次電池３０の充電を行うものである。所定時間は、外部Ｉ／Ｆ２２が動作可能な蓄電量まで二次電池３０を充電するのに要すると想定される時間である。なお、二次電池３０の充電は、ＣＰＵ５１と充電部１４により行われる。
【００８２】
待機状態の終了を判断すると（ステップＳ１３で「ＹＥＳ」）、稼働状態フラグをセットして（ステップＳ１７）、リターンする。この場合、ルーチンが一巡して、充放電制御処理が再度実行されるとき、ステップＳ１で「ＮＯ」、Ｓ３で「ＹＥＳ」と判断されて、Ｓ４の稼働中処理が実行される。
（６−２）稼働中処理
図７は、稼働中処理のサブルーチンの内容を示すフローチャートである。
【００８３】
同図に示すように外部電力を供給状態にする（ステップＳ２１）。外部電力を供給状態にすることは、上記のようにＣＰＵ５１と出力切替部５２により実行される。これにより商用電源４０または創エネ電源４１からの外部電力が装置本体２０に供給される。
そして、二次電池３０から外部Ｉ／Ｆ２２への電力供給（放電）を停止させる（ステップＳ２２）。二次電池３０の放電停止は、ＣＰＵ５１と放電部１６により実行される。
【００８４】
現在が第１時間帯の第１区間に属しているか否かを判断する（ステップＳ２３）。現在時刻は、時計ＩＣ５３から取得される。また、第１区間が何時から何時までの間を示すかは、記憶部１７から第１区間の情報を読み出すことにより取得される。本実施の形態では、午前９時から午後３時までの時間が第１区間とされる。
例えば、現在が午前９時であれば第１区間と判断され（ステップＳ２３で「ＹＥＳ」）、本日の移行時間Ｔａが設定済みであるか否かを判断する（ステップＳ２４）。この判断は、次のステップＳ２５で本日の移行時間Ｔａの算出、設定が既に実行されたか否かにより行われる。
【００８５】
移行時間Ｔａが設定済みでなければ（ステップＳ２４で「ＮＯ」）、二次電池３０の目標の蓄電量Ｑｔ、現在の二次電池３０の蓄電量Ｑａ、充電電流Ｄ、前日の第１時間帯に稼働状態から移行状態に遷移した回数Ｎ、前日の第１時間帯におけるＮ回の稼働状態の総稼働時間Ｔｙを示す情報を取得して、上記の（式１）を用いて移行時間Ｔａを算出し、本日の移行時間Ｔａとして記憶部１７に書き込む（設定する）（ステップＳ２５）。ここでは、移行時間Ｔａに本日の日時を関係付けておくようにしており、これにより移行時間Ｔａが過去のものであるか本日のものであるかを判断することができる。移行時間Ｔａの算出と設定は、移行時間設定部６２が担当する。
【００８６】
そして、充電処理（ステップＳ２６）を行った後、リターンする。充電処理については後述する。
移行時間Ｔａが設定済みであれば（ステップＳ２４で「ＹＥＳ」）、ステップＳ２５をスキップして（実行せずに）、ステップＳ２６の充電処理に移る。これにより、移行時間（設定時間）Ｔａの設定は、毎日、午前９時に１回だけ行われる。設定時間Ｔａは、一日ごとに更新されるとしても良いし、履歴として一日単位で保存しておくとしても良い。このことは、設定時間Ｔｂについても同様である。
【００８７】
第１区間ではない、すなわち第２区間または第２時間帯であることを判断すると（ステップＳ２３で「ＮＯ」）、本日の移行時間Ｔｂが設定済みであるか否かを判断する。この判断は、次のステップＳ２８で本日の移行時間Ｔｂの算出、設定が既に実行されたか否かにより行われる。
移行時間Ｔｂが設定済みでなければ（ステップＳ２７で「ＮＯ」）、二次電池３０の目標の蓄電量Ｑｔ、午後３時での二次電池３０の蓄電量Ｑｃ、前日の第２区間（午後３時から５時までの間）における総放電量Ｑｄ、充電電流Ｄ、前日の第２区間に稼働状態から移行状態に遷移した回数Ｍ、前日の第２区間におけるＭ回の稼働状態の総稼働時間Ｔβを示す情報を取得して、上記の（式２）を用いて移行時間Ｔｂを算出し、本日の移行時間Ｔｂとして記憶部１７に書き込み（設定して）（ステップＳ２８）、充電処理（ステップＳ２６）に移る。この移行時間Ｔｂの算出と設定は、移行時間設定部６２が担当する。
【００８８】
移行時間Ｔｂが設定済みであれば（ステップＳ２７で「ＹＥＳ」）、ステップＳ２８をスキップして（実行せずに）、ステップＳ２６の充電処理に移る。これにより、移行時間（設定時間）Ｔｂの設定は、毎日、午後３時に１回だけ行われることになる。
（６−３）充電処理
図８は、充電処理のサブルーチンの内容を示すフローチャートである。
【００８９】
同図に示すように二次電池電圧Ｖｂが目標値Ｖｔｈ以上であるか否かを判断する（ステップＳ３１）。二次電池電圧Ｖｂは、ＣＰＵ５１の電圧測定部６３により測定される。目標値Ｖｔｈは、ここでは目標の蓄電量Ｂｔである３０〔％〕に相当する電圧値としている。なお、目標値Ｖｔｈは、充電電圧の上限に相当し、極端に高くすると、二次電池３０に負担をかける場合があるので、二次電池３０に適した値とすることが好ましい。
【００９０】
二次電池電圧Ｖｂが目標値Ｖｔｈ以上ではない、すなわち二次電池電圧Ｖｂ＜目標値Ｖｔｈであれば（ステップＳ３１で「ＮＯ」）、二次電池３０の充電の実行を開始する（ステップＳ３６）。
そして、稼働状態が終了か否かを判断する（ステップＳ３７）。稼働状態の終了の判断は、本体制御部３４からジョブ終了通知を受け付けたことにより行われる。
【００９１】
稼働状態の終了でないことを判断すると（ステップＳ３７で「ＮＯ」）、リターンする。ルーチンが一巡して、稼働状態において再度、充電処理が実行されたときに、二次電池電圧Ｖｂ＜目標値Ｖｔｈであれば、二次電池３０の充電が継続される。
稼働状態における二次電池３０の充電により二次電池３０の電圧が上昇して、二次電池電圧Ｖｂ≧目標値Ｖｔｈになったことを判断すると（ステップＳ３１で「ＹＥＳ」）、充電中であれば（ステップＳ３２で「ＹＥＳ」）、充電を終了して（ステップＳ３３）、ステップＳ３４に移る。ステップＳ３４では、稼働状態が終了か否かを判断する。この判断は、上記のステップＳ３７と同じ方法がとられる。
【００９２】
稼働状態の終了でないことを判断すると（ステップＳ３４で「ＮＯ」）、リターンする。ルーチンが一巡して、稼働状態において再度、充電処理が実行されたときに、二次電池電圧Ｖｂ≧目標値Ｖｔｈであり、充電が終了していれば（ステップＳ３２で「ＮＯ」）、ステップＳ３４に移る。この場合、充電は実行されない。
稼働状態の終了を判断すると（ステップＳ３４で「ＹＥＳ」）、移行状態フラグをセットして（ステップＳ３５）、リターンする。リターン以降、メインルーチンに戻り、再度、充放電制御処理が実行されるときには、稼働状態ではなく（ステップＳ３で「ＮＯ」）、移行中処理（ステップＳ５）が実行される。
【００９３】
また、二次電池３０の充電中に、稼働状態の終了を判断すると（ステップＳ３７で「ＹＥＳ」）、充電を中断して（ステップＳ３８）、移行状態フラグをセットして（ステップＳ３５）、リターンする。リターン以降、ステップＳ３４で稼働状態の終了を判断した場合と同様に、移行中処理（ステップＳ５）が実行される。
（６−４）移行中処理
図９と図１０は、移行中処理のサブルーチンの内容を示すフローチャートである。
【００９４】
図９に示すように、省電力状態にする（ステップＳ５１）。省電力状態は、外部電力の一部だけを装置本体２０に供給する状態であり、上記のようにＣＰＵ５１と出力切替部５２により実行される。これにより商用電源４０または創エネ電源４１からの外部電力が装置本体２０の定着部３２と本体制御部３４と外部Ｉ／Ｆ２２だけに供給され、定着部３２の温度が節電温度に維持されるように温調制御が行われつつ、外部からの画像形成ジョブの実行指示を受け付け可能な状態になる。
【００９５】
次に、タイマー５４が動作中であるか否かを判断する（ステップＳ５２）。
タイマー５４が動作中でなければ（ステップＳ５２で「ＮＯ」）、タイマー５４を起動して（ステップＳ５３）、ステップＳ５４に移る。タイマー５４が動作中であれば（ステップＳ５２で「ＹＥＳ」）、ステップＳ５３をスキップしてステップＳ５４に移る。
稼働状態から移行状態に遷移すると、その移行状態にある間、移行中処理がルーチンの一巡ごとに繰り返し実行されるが、最初の移行中処理が実行されるときに、タイマー５４が起動され、２回目以降の移行中処理が実行されるときには、タイマー５４が動作中になっており、ステップＳ５１からＳ５４に移る。
【００９６】
ステップＳ５４では、現在が第１時間帯の第１区間、ここでは午前９時から午後３時までの間に属しているか否かを判断する。
第１区間に属していることを判断すると（ステップＳ５４で「ＹＥＳ」）、移行時間Ｔを移行時間Ｔａに設定して（ステップＳ５５）、ステップＳ５７に移る。
第１区間に属していない、すなわち第２区間、ここでは午後３時から午後５時までの間に属していることを判断すると（ステップＳ５４で「ＮＯ」）、移行時間Ｔを移行時間Ｔｂに設定して（ステップＳ５６）、ステップＳ５７に移る。移行時間ＴａまたはＴｂは、上記ステップＳ２５またはＳ２８の算出、設定により記憶部１７内に設けられた所定の格納領域に書き込まれた情報を読み出すことにより取得され、移行時間Ｔの設定は、ここでは、記憶部１７における移行時間Ｔの専用格納領域に、読み出された時間ＴａまたはＴｂが、現に書き込まれている時間に対し上書き（登録）されることにより行われる。
【００９７】
二次電池電圧Ｖｂが目標値Ｖｔｈ以上であるか否かを判断する（ステップＳ５７）。
二次電池電圧Ｖｂ＜目標値Ｖｔｈであることを判断すると（ステップＳ５７で「ＮＯ」）、稼働状態のときから続く二次電池３０の充電を移行状態でも継続して（ステップＳ６０）、図１０に示すステップＳ６１に移る。
一方、二次電池電圧Ｖｂ≧目標値Ｖｔｈであることを判断すると（ステップＳ５７で「ＹＥＳ」）、二次電池３０の充電中でなければ（ステップＳ５８で「ＮＯ」）、ステップＳ６１に移り、充電中であれば（ステップＳ５８で「ＹＥＳ」）、二次電池３０の充電を終了して（ステップＳ５９）、図１０に示すステップＳ６１に移る。
【００９８】
図１０に示すステップＳ６１では、新たな画像形成ジョブが外部Ｉ／Ｆ２２により受け付けられたか否かを判断する。
新たな画像形成ジョブが受け付けられていないと判断すると（ステップＳ６１で「ＮＯ」）、移行時間Ｔが経過したか否かを判断する（ステップＳ６２）。この移行時間Ｔは、上記ステップＳ５６で設定された時間（ＴａまたはＴｂ）になり、移行時間Ｔの経過の判断は、タイマー５４のカウント値が移行時間Ｔに達したことにより行われる。
【００９９】
移行時間Ｔが経過していないことを判断すると（ステップＳ６２で「ＮＯ」）、リターンする。ルーチンが一巡し、再度、充放電制御処理が実行されたときに、画像形成ジョブが受け付けられておらず（ステップＳ６１で「ＮＯ」）、移行時間Ｔが経過していなければ（ステップＳ６２で「ＮＯ」）、再度、リターンする。
新たな画像形成ジョブが受け付けられなければ、移行時間Ｔが経過するまで、ルーチンの一巡する毎に、ステップＳ６１で「ＮＯ」、Ｓ６２で「ＮＯ」の判断が繰り返し行われ、移行状態が継続される。
【０１００】
新たな画像形成ジョブが受け付けられると（ステップＳ６１で「ＹＥＳ」）、稼働状態フラグをセットして（ステップＳ６３）、タイマー５４を停止してそのカウント値をゼロにするタイマーリセットを行い（ステップＳ６５）、ステップＳ６６に移る。
一方、新たな画像形成ジョブが受け付けられることなく、移行時間Ｔが経過すると（ステップＳ６２で「ＹＥＳ」）、待機状態フラグをセットして（ステップＳ６４）、ステップＳ６５を介してＳ６６に移る。
【０１０１】
ステップＳ６６では、現在、二次電池３０を充電中であるか否かを判断する。
充電中であることを判断すると（ステップＳ６６で「ＹＥＳ」）、その充電を終了して（ステップＳ６７）、リターンする。充電中でないことを判断すると（ステップＳ６６で「ＮＯ」）、ステップＳ６７をスキップして、リターンする。
ステップＳ６３で稼働状態フラグがセットされた場合、リターン後、再度、充放電制御処理が実行されるときには、稼働中処理（ステップＳ４）が実行される。
【０１０２】
一方、ステップＳ６４で待機状態フラグがセットされた場合、リターン後、再度、充放電制御処理が実行されるときには、待機中処理（ステップＳ２）が実行される。
（７）本体制御部３４による制御処理の内容
図１１は、本体制御部３４による制御処理の内容を示すフローチャートであり、電源装置１０から外部電力が供給されることにより、本体制御部３４に設けられているＣＰＵ（不図示）が起動することにより開始される。
【０１０３】
同図に示すように外部電力が供給されると、プリント部２１を構成する画像形成部３１や定着部３２のヒーター３２ａなどの各部への電力供給を行い、画像形成が可能な状態にするために、所定のウォームアップを実行する（ステップＳ７１）。ウォームアップにより、定着部３２では、定着部３２の温度が定着温度まで昇温されるようにヒーター３２ａへの給電が行われる。
【０１０４】
ウォームアップが終了し、画像形成が可能な状態になると、待機状態のときに受け付けられていた画像形成ジョブを実行する（ステップＳ７２）。
そして、実行している画像形成ジョブの終了を判断すると（ステップＳ７３で「ＹＥＳ」）、ジョブ終了通知を電源装置１０に送信する（ステップＳ７４）。
電源装置１０は、このジョブ終了通知を受け付けると、これを契機に稼働状態から移行状態に遷移する（図８のステップＳ３４、Ｓ３７）。移行状態への遷移により、電源装置１０からは、外部電力の一部だけが装置本体２０に供給されることになる（ステップＳ５１）。
【０１０５】
本体制御部３４は、電源装置１０からの供給電力により、定着部３２と外部Ｉ／Ｆ２２を動作させ、定着部３２の温度が待機温度に維持されるように温調制御を行いつつ、外部からの画像形成ジョブの実行指示を外部Ｉ／Ｆ２２が受け付け可能な状態に制御する省電力状態に移行する（ステップＳ７５）。
電源装置１０からの電力供給が遮断されたか否かを判断する（ステップＳ７６）。電源装置１０からの電力供給が遮断されていないことを判断すると（ステップＳ７６で「ＮＯ」）、新たな画像形成ジョブを外部Ｉ／Ｆ２２が受け付けたか否かを判断する（ステップＳ７７）。新たな画像形成ジョブを受け付けていないことを判断すると（ステップＳ７７で「ＮＯ」）、ステップＳ７６に戻る。
【０１０６】
電源装置１０からの電力供給の遮断と、新たな画像形成ジョブの受け付けのいずれかが発生するまで、ステップ７６とＳ７７の処理を繰り返し実行し、新たな画像形成ジョブが受け付けられたことを判断すると（ステップＳ７７で「ＹＥＳ」）、実行指示受付通知を電源装置１０に送信して（ステップＳ７９）、ステップＳ７１に移る。
電源装置１０では、この実行指示受付通知を受け付けると（図１０のステップＳ６１で「ＹＥＳ」）、稼働状態フラグをセットして（ステップＳ６３）、稼働状態に復帰し、画像形成のために外部電力を供給状態にする（図７のステップＳ２１）。
【０１０７】
これにより、図１１のステップＳ７１においてウォームアップを実行し、ウォームアップが終了すると、その受け付けた画像形成ジョブを実行して（ステップＳ７２）、ステップＳ７３〜Ｓ７５の処理の後、ステップＳ７６に戻る処理を行う。
一方、電源装置１０からの電力供給の遮断を判断すると（ステップＳ７６で「ＹＥＳ」）、省電力状態を終了させる所定の電源オフ処理を行って（ステップＳ７８）、当該制御を終了する。これにより、移行状態から待機状態に遷移し、以降、待機状態において新たな画像形成ジョブが受け付けられると、待機状態から稼働状態への遷移により、外部電力が電源装置１０から装置本体２０に供給され、その画像形成ジョブが実行される（ステップＳ７１，７２）。
【０１０８】
（８）一日における外部電力の消費電力量について
図１２（ａ）は、実施の形態の充電方法により待機状態に二次電池を充電する実施例の充電の様子を示す模式図であり、図１２（ｂ）は、第２時間帯に入る直前の待機状態に長時間に亘って二次電池を充電する比較例の充電の様子を示す模式図である。なお、図１２（ａ）では、第１時間帯での移行時間Ｔを一定にした場合の例を示しており、時間Ｔは、上記の（式１）により算出されたものとする。
【０１０９】
図１２（ａ）に示すように実施例では、第１時間帯において稼働状態のときだけでなく、複数回の移行状態のそれぞれのときにも移行時間Ｔに亘って二次電池３０の充電が行われていることが判る。例えば、第１時間帯に移行状態がＮ回あり、１回の移行時間Ｔの間に装置本体２０で消費される電力量をＷとすると、第１時間帯においてＮ回の待機状態がある場合のトータルの電力量は、（Ｎ×Ｗ）になる。
【０１１０】
一方、図１２（ｂ）に示すように比較例では、第１時間帯において、複数回の移行状態のときには二次電池３０の充電が行われておらず、第２時間帯に入る直前の移行状態のときに、二次電池３０が長い時間Ｔｅに亘って充電されていることが判る。
実施例と比較例とで、稼働状態と待機状態と移行状態が同じ条件（回数と時間）を満たすとすれば、時間Ｔｅは、（Ｎ×Ｔ）に相当し、時間Ｔｅの間、（Ｎ×Ｗ）の電力が消費されることになる。
【０１１１】
１回目から（Ｎ−１）回目までの消費電力量〔（Ｎ−１）×Ｗ〕と、Ｎ回目の消費電力量（Ｎ×Ｗ）を加えた電力量が、比較例におけるＮ回の待機状態に装置本体２０で消費されるトータルの消費電力量になり、実施例に対して〔（Ｎ−１）×Ｗ〕だけ多くなる。
待機状態では、定着部３２を節電温度に維持するためにヒーター３２ａに電力が供給されており、節電温度が定着温度よりも低いといっても、ヒーター３２ａへの供給電力は、数百Ｗ程度に及ぶことが通常であるので、実施例の充電方法をとることにより、比較例よりも電力量〔（Ｎ−１）×Ｗ〕を低減することができれば、一日単位、ひいては月単位または年単位で外部電力の消費電力量を大きく削減することができるようになる。
【０１１２】
なお、移行時間Ｔの設定は、第１時間帯の開始時（午前９時）で行われるが、設定以降に当該第１時間帯で実際に実行される画像形成ジョブの回数や時間が前日と全く同じとは限られないことから、図１２（ａ）で示す状況と必ず同じになるとはいえないが、前日に対し極端に大きな変化がなければ、二次電池３０の充電が稼働状態だけでなく移行状態のときにも行われるので、図１２（ｂ）の比較例に示すように第２時間帯の直前に１回だけ二次電池３０を長い時間Ｔｅに亘って充電することを防止して、外部電力の消費電力量の低減を図りつつ、第２時間帯に入るときに二次電池３０を必要な分、ここでは目標値Ｂｔまたはこれに近づく程度まで充電しておくことができ、第２時間帯に亘って二次電池３０の電力を外部Ｉ／Ｆ２２に供給して外部Ｉ／Ｆ２２を動作させることが可能になる。
【０１１３】
本発明は、画像形成装置に限られず、画像形成装置などの電子機器における二次電池の充放電の制御方法であるとしてもよい。また、その方法をコンピュータが実行するプログラムであるとしてもよい。本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【０１１４】
＜変形例＞
以上、本発明を実施の形態に基づいて説明してきたが、本発明は、上述の実施の形態に限定されないのは勿論であり、以下のような変形例が考えられる。
（１）上記実施の形態では、（式１）において時間（Ｔｘ−Ｔｙ）をＮ等分した時間Ｔｃ（Ｔａに相当）に均等に振り分ける構成例を説明したが、これに限られない。
【０１１５】
例えば、算出値Ｔｃではなく、算出値Ｔｃを所定時間Ｔｇだけ延長した時間Ｔｄに設定することが考えられる。
上記のように移行状態の回数Ｎは、前日の第１時間帯における画像形成ジョブによる移行状態の実行回数（実績）を本日における回数と推定したものであり、本日の実際の回数が前日よりも少なめになれば、二次電池３０の充電時間が前日よりも少なくなって、第２時間帯の開始時における電池容量が目標値Ｂｔに対して下回る場合もあり得る。
【０１１６】
そこで、移行時間Ｔを算出値Ｔｃよりも所定時間Ｔｇだけ長めに設定しておけば、本日における画像形成ジョブの実際の回数が前日よりある程度、少なくなっても、電池容量を目標値Ｂｔに近づけることができるようになる。所定時間Ｔｇは、実験などから予め決めておいても良いし、ユーザーが任意に書き換え可能にするとしても良いが、あまり長い時間にすると、移行時間が長くなって移行状態における電力消費量が多くなるので、二次電池３０の充電に必要な時間と電力消費とを考慮に入れて適した値にすることが望ましい。
【０１１７】
なお、算出値Ｔｃに所定時間Ｔｇを加算することに代えて、その加算分に相当する時間を時間（Ｔｘ−Ｔｙ）に加算してなる時間をＮ等分した算出値を、移行時間Ｔに設定するとしても同じ結果を得られる。
（２）また、上記に代えて、例えば第１時間帯を前半と後半に分けて、１回の移行時間Ｔを前半の方が後半よりも長くして、前半と後半とで大小をつけることもできる。例えば、Ｎ回分の移行時間の合計が時間（Ｔｘ−Ｔｙ）になるように、時間Ｔｃに異なる重み付け係数ｋを適用、具体的には前半の移行時間Ｔを〔係数ｋ１（＞１）×Ｔｃ〕とし、後半の移行時間Ｔを〔係数ｋ２（＜１）×Ｔｃ〕とすることができる。
【０１１８】
前半の方が後半よりも画像形成ジョブの実行頻度が多い環境では、前半での二次電池３０の充電時間をより長く確保することができ、後半で充電不足になるおそれを抑制することができる。これとは逆に、後半の方が前半よりも画像形成ジョブの実行頻度が多い環境では、移行時間の大小関係を上記とは逆とすることができる。
第１時間帯を前半と後半に分けることに代えて、例えばＮ回を前半の回数分と後半の回数分に分けて、前半と後半とで移行時間に大小をつけることもできる。また、前半と後半の２つに分けることに限られない。設置環境や装置構成などに応じて、複数に分割した個々の回数に対し、時間Ｔｃを異なる係数ｋで重み付けしてなる時間Ｔｋを、異なる移行時間Ｔとして設定することもできる。
【０１１９】
移行時間Ｔの設定は、上記のように移行時間設定部６２が担当しており、二次電池３０の充電に要する予想時間をＮ等分した時間Ｔｃに振り分けること、時間Ｔｃを所定時間だけ延長すること、または時間Ｔｃを所定の係数ｋで重み付けすることなどを行うことから、移行時間設定部６２は、予想時間をＮ回のそれぞれの移行状態の実行時間に振り分けた時間に基づき移行時間Ｔを設定する設定手段として機能するものといえる。
【０１２０】
なお、上記のことは、第１区間だけでなく第２区間についても同様に適用することができ、第１区間に対する上記時間Ｔｃ、ＴｄまたはＴｋに代えて、第２区間について時間Ｔｃ１（Ｔｂに相当）、Ｔｄ１またはＴｋ１を用いるとしても良い。
（３）上記実施の形態では、第１時間帯の開始時に求めた移行時間Ｔａを、第１時間帯の途中（第２区間の開始時）で求めた移行時間Ｔｂに設定し直すことにより、移行時間Ｔを切り替えるとしたが、これに限られない。例えば、前日と本日とで画像形成ジョブの実行回数と実行時間がほとんど変わらないような業務を行う環境に画像形成装置が設置されている場合には、移行時間の切り替えを行わず、第１時間帯の開始時に求めた移行時間Ｔａを、第１時間帯の間に亘って適用するとしても良い。
【０１２１】
また、切り替えを行う場合、その回数は１回に限られず、２回以上の回数で切り替える構成をとることもできる。例えば、所定時間、具体的には１時間などの経過ごとに、その時点で移行時間Ｔを求めて、求めた時間を、次に所定時間（１時間など）が経過するまでの間に用いる移行時間Ｔに設定し直すこともできる。
（４）上記実施の形態では、本日と同じ営業日である前日の状態遷移履歴を用いて移行時間Ｔを設定するとしたが、過去の状態遷移履歴であれば良く、前日に限られない。
【０１２２】
例えば、会社などのオフィスなどでは週ごとに同じ曜日に定例会議があることなどにより画像形成ジョブも同程度の頻度で行われる場合もあり得ることから、そのような場合には、１週間前の週の同じ曜日の状態遷移履歴を用いるとしても良い。また、１週間前に限られず、２週間前またはそれ以上、過去に遡った週の同じ曜日などとすることもできる。
また、過去の一日に限られず、過去２日以上の各日におけるＮ（第１時間帯に稼働状態から移行状態に遷移した回数）、Ｔｙ（第１時間帯におけるＮ回の稼働状態の総稼働時間）などの平均をとり、その平均値を状態遷移履歴とすることもできる。これに代えて、過去の複数週における同じ曜日のＮやＴｙなどの平均値を状態遷移履歴としても良い。
【０１２３】
このようにすれば、実施の形態の方法（本日の第１時間帯における移行状態の回数Ｎ、総稼働時間Ｔｙを、前日の第１時間帯における移行状態の回数Ｎ、総稼働時間Ｔｙと同じ値と推定する方法）に代えて、過去の週における同じ曜日の回数Ｎや総稼働時間Ｔｙまたは過去の２日以上の回数Ｎや総稼働時間Ｔｙの平均値などを、本日の回数Ｎ、総稼働時間Ｔｙと推定する方法をとることが可能になる。
【０１２４】
（５）上記実施の形態では、二次電池３０の目標の蓄電量Ｑｔ（目標値）を一定値としたが、可変させるとしても良い。例えば、本日の次の日（翌日）が予め決められた休日であり、翌々日が営業日である場合、休日（２４時間）を挟んで翌々日の営業日まで二次電池３０の電力を外部Ｉ／Ｆ２２に供給し続ける必要が生じる。そこで、休日の前日については、目標値Ｑｔを、翌日が営業日の場合の値（上記例では３０〔％〕）よりも大きい値Ｑｔ１、例えば６０〔％〕に切り替える構成をとることが考えられる。
【０１２５】
休日を挟む場合の目標値Ｑｔ１は、次の営業日に至るまでの間に消費される電力量に基づいて予め実験などにより求めることができる。なお、休日が１日だけでなく、複数の日が連続する場合には、目標値Ｑｔ１が１日の場合よりもさらに大きい値に設定される。
（６）上記実施の形態では、一日のうち、午前９時から午後５時までの第１時間帯を所定の単位期間とし、午後５時から次の日の午前９時までの第２時間帯を、第１時間帯の後に一定時間の待機状態が続くと仮定される別の期間とした場合の例を説明したが、これらの期間がこの時間に限られないことはいうまでもない。装置の設置環境によっては、例えば所定の単位期間を半日（１２時間）や２日などの期間などに適用することもできる。
【０１２６】
また、一日における第１時間帯の開始時（上記例では午前９時）に移行時間Ｔａを求めるとしたが、これに限られず、例えば第１時間帯の開始時の直前、具体的には１〜５分前などに求めるとしても良い。
さらに、第１時間帯が開始してから最初（１回目）の画像形成ジョブの実行を契機に、具体的には実行開始時、実行中または終了時に移行時間Ｔを設定するとしても良い。
【０１２７】
最初の画像形成ジョブ（稼働状態）が終了すると、本日の最初（１回目）の移行状態に切り替わるので、最初の移行状態が開始するまでの間に、その移行時間Ｔを算出、設定しておけば、移行時間Ｔを計時することができるからである。
さらに、外部Ｉ／Ｆ２２を、画像形成ジョブの実行指示を受け付ける受付部とする構成例を説明したが、これに限られない。二次電池３０の電力により画像形成ジョブを受け付け可能であれば良く、例えば、受付部をユーザーからの実行指示の入力を受け付ける操作パネルなどの操作部とすることもできる。この場合、操作部に配された画像形成ジョブの受付キーがユーザーにより操作されたことの信号を二次電池３０の電力により生成して送信する構成とすることができる。
【０１２８】
（７）上記実施の形態では、移行状態においてヒーター３２ａへの供給電力を稼働状態よりも低減するとしたが、これに限られない。
移行状態は、装置本体２０における外部電源の電力消費が待機状態のときよりも多く、かつ稼働状態のときよりも少ない節電状態であれば良い。
例えば、移行状態に入るとヒーター３２ａへの外部電源の電力を遮断しつつ、内部ファン（不図示）の動作を開始または稼働状態から継続して、装置本体２０の内部の温度を移行時間Ｔに亘って冷却した後、内部ファンを停止して待機状態に戻る構成が考えられる。
【０１２９】
この構成をとる場合、移行時間Ｔが極端に短くなると、移行状態での内部ファンの動作時間も短くなり冷却性能も落ちるので、最低限必要とされる時間Ｔｆを予め決めておいて、算出された移行時間が時間Ｔｆより短い場合は、その時間Ｔｆを移行時間Ｔに設定する構成をとることが望ましい。なお、この場合、算出時間よりも移行時間Ｔが長めに設定されることになるので、二次電池３０の充電に支障ができることはない。
【０１３０】
この最低限必要とされる時間の概念は、実施の形態の移行時間Ｔにも適用できる。
すなわち、上記のように移行時間Ｔは、画像形成ジョブの終了後、待機状態に戻るまでの、ユーザーから新たな画像形成ジョブの受け付けを待つ待ち時間に相当するので、極端に短くなると、ユーザーの利便性が低下することになる。
そこで、その待ち時間に最低限必要と思われる時間Ｔｆ、例えば２０秒などを予め決めておいて、（式１）により算出された移行時間Ｔが時間Ｔｆよりも短いときには、算出値に代えて、予め決められた時間Ｔｆを移行時間Ｔに設定することにより、ユーザーの利便性を確保しつつ、二次電池３０を必要量、充電することが可能になる。このことは、（式２）により算出される時間Ｔｂについても同様に適用することができる。
【０１３１】
（８）上記実施の形態では、ＡＣ−ＤＣ電源１３への電流の供給および遮断をラッチング形のリレー１２によって行う構成であったが、このような構成に限られず、ラッチング形以外のリレーや機械式のスイッチ素子などを用いる構成としても良い。また、待機状態において外部電源からの電力を画像形成装置で消費することを可能な限り抑制、例えば完全に遮断できれば良く、リレーなどを設けない構成を採用するとしても良い。
【０１３２】
（９）上記実施形態では、電子機器として、画像形成ジョブを実行する画像形成装置について説明したが、これに限られず、外部電源と二次電池が接続され、外部電源から本体への電力供給を遮断しつつ二次電池の電力を受付部に供給する待機状態において、受付部により処理依頼が受け付けられると、処理部による処理の実行のために外部電源から本体に電力を供給する稼働状態に移り、処理が終了すると本体への電力供給を設定時間、継続する移行状態を経て、待機状態に戻る状態遷移が可能な構成の電子機器一般に適用することができる。
【０１３３】
電子機器としては、例えば外部のリモートコントローラー（リモコン）からの無線によるオン信号を処理依頼として受け付ける受付部を有し、外部電源の電力を遮断しつつ二次電池の電力により受付部を動作させるスリープ（待機）状態において、処理依頼が受け付けられるとチューナーやディスプレイなどが外部電源の電力によりオン（稼働）して番組などの情報を画面に表示し、オフの指示があると、画面を消灯しつつ設定時間が経過するまではディスプレイを除く特定のモジュール（チューナーなど）にだけ外部電源の電力の供給を継続させ、設定時間が経過するとスリープ状態に戻る機能を有するテレビや、同様の機能を有するパーソナルコンピューターなどが考えられる。
【０１３４】
また、上記実施の形態及び上記変形例の内容をそれぞれ組み合わせるとしてもよい
【産業上の利用可能性】
【０１３５】
本発明は、処理依頼を受け付ける受付部と、受け付けた処理を実行する処理部とを備える装置本体を有する電子機器において、受付部へ電力供給する二次電池を充電する技術として有用である。
【符号の説明】
【０１３６】
１０      電源装置
１４      充電部
１５      電源制御部
１６      放電部
１７      記憶部
２０      装置本体
２１      プリント部
２２      外部Ｉ／Ｆ
３０      二次電池
４０      商用電源
５１      ＣＰＵ
５２      出力切替部
５３      時計ＩＣ
５４      タイマー
６１      状態遷移部
６２      移行時間設定部
６３      電圧測定部
【図１】
2013167691.tif 000003
【図２】
2013167691.tif 000004
【図３】
2013167691.tif 000005
【図４】
2013167691.tif 000006
【図５】
2013167691.tif 000007
【図６】
2013167691.tif 000008
【図７】
2013167691.tif 000009
【図８】
2013167691.tif 000010
【図９】
2013167691.tif 000011
【図１０】
2013167691.tif 000012
【図１１】
2013167691.tif 000013
【図１２】
2013167691.tif 000014